(57)【特許請求の範囲】
【請求項１】
永久磁石が埋設されるスロット部をロータコアの周方向に沿って複数備えたモータ用のロータコアを加熱処理する方法であって、
上記ロータコアの外周面側および内周面側にそれぞれ加熱手段を配置し、
上記外周面側加熱手段による加熱処理と内周面側加熱手段による加熱処理を同時にまたは上記外周面側加熱手段による加熱処理に先行して内周面側加熱手段による加熱処理を開始し、
上記スロット部のロータ内周側の温度が目標温度に到達する前に上記スロット部の外周側での温度が上記目標温度以上となるまで昇温させ、
以降は上記外周面側加熱手段による加熱処理を断って内周面側加熱手段のみによる加熱処理を施すことを特徴とするロータコアの加熱処理方法。
【請求項２】
上記スロット部は、ロータコアの外周面寄りの位置に設けられた外周側スロット部と、上記外周側スロット部よりもロータコアの内周面側の位置に、上記外周側スロット部に対応して設けられた内周側スロット部と、から構成され、
上記スロット部のロータ径方向内側は上記内周側スロット部のロータ径方向内側であって、上記スロット部のロータ径方向外側は上記外周側スロット部のロータ径方向外側であることを特徴とする請求項１に記載のロータコアの加熱処理方法。
【請求項３】
上記スロット部のロータ内周側の温度が目標温度に到達する前に上記スロット部のロータ外周側の温度が目標温度以上となるまで昇温させ、
以降は上記外周面側加熱手段による加熱処理を断って内周面側加熱手段のみによる加熱処理を上記内側磁石相当部での温度が所定温度になるまで施すことを特徴とする請求項１または２に記載のロータコアの加熱処理方法。
【請求項４】
上記スロット部のロータ内周側の温度が目標温度に到達する前に上記スロット部のロータ外周側の温度が目標温度以上となるまで昇温させ、
以降は上記外周面側加熱手段による加熱処理を断って内周面側加熱手段のみによる加熱処理を上記スロット部のロータ内周側の温度が上記目標温度よりも低い所定温度になるまで施すことを特徴とする請求項３に記載のロータコアの加熱処理方法。
【請求項５】
上記外周面側加熱手段および内周面側加熱手段による加熱処理を終えた後にロータコアの外周面を強制冷却することを特徴とする請求項３または４に記載のロータコアの加熱処理方法。
【請求項６】
上記強制冷却は送風によるものであることを特徴とする請求項５に記載のロータコアの加熱処理方法。
【請求項７】
上記ロータコアの内周面の温度を監視しながら上記内周面側加熱手段による加熱量を調整することを特徴とする請求項１〜６のいずれか一つに記載のロータコアの加熱処理方法。
【請求項８】
永久磁石が埋設されるスロット部をロータコアの周方向に沿って複数備えたモータ用のロータコアを加熱処理する装置であって、
加熱処理ステージとその下方の退避ステージとの間を昇降可能で且つ加熱処理対象となるロータコアが搭載される昇降式のテーブルと、
上記加熱処理ステージにおいてロータコアの外周面側と内周面側とに配置される外周面側加熱手段および内周面側加熱手段と、
上記加熱処理ステージにおいてロータコアを軸心方向に加圧拘束する拘束手段と、
上記ロータコアの少なくとも上記スロット部のロータ外周側および内周側の温度を検出する温度検出手段と、
上記温度検出手段からの検出出力を入力として外周面側加熱手段および内周面側加熱手段の出力制御を司る制御手段と、
を備えていることを特徴とするロータコアの加熱処理装置。
【請求項９】
上記退避ステージに加熱処理後のロータコアを冷却する冷却手段を設けてあることを特徴とする請求項８に記載のロータコアの加熱処理装置。
【請求項１０】
上記ロータコアの内周面の温度を検出する温度検出手段を有していることを特徴とする請求項８または９に記載のロータコアの加熱処理装置。
【請求項１１】
上記制御手段は、ロータコアの内周面の温度を検出する温度検出手段の検出出力に基づいて、そのロータコアの内周面の温度が所定温度となるように内周面側加熱手段を断続的にＯＮ−ＯＦＦ制御するものであることを特徴とする請求項１０に記載のロータコアの加熱処理装置。
【請求項１２】
上記外周面側加熱手段および内周面側加熱手段が共に誘導加熱のための加熱コイルであることを特徴とする請求項８〜１１のいずれか一つに記載のロータコアの加熱処理装置。
【発明の詳細な説明】
【技術分野】
【０００１】
本発明は、モータの回転子となるロータコアを加熱処理するための加熱処理方法および加熱処理装置に関する。
【背景技術】
【０００２】
例えば永久磁石埋め込み型同期モータ等の組立工程においては、ロータコアのスロット部に永久磁石が埋め込まれるが、その永久磁石の固定のために使用される樹脂層や接着剤層の熱硬化、さらにはロータコアに対するシャフトの焼きばめによる圧入を目的として、磁石埋め込み後のロータコアを加熱処理することが行われる。そして、上記ロータコアの加熱処理を目的とした加熱装置および加熱方法が特許文献１にて提案されている。
【０００３】
この特許文献１に記載された技術では、加熱対象となる円筒状のロータコアの外周側および内周側のそれぞれに高周波誘導加熱のためのコイルを配置し、外周側のコイルによる加熱の開始と終了は内周側のコイルによるそれと同時、または外周側のコイルによる加熱の開始と終了は内周側のコイルによるそれよりも遅れて行われることとされている。
【先行技術文献】
【特許文献】
【０００４】
【特許文献１】特開平７−２２１６８号公報
【発明の概要】
【発明が解決しようとする課題】
【０００５】
特許文献１に記載された技術では、ロータコアの内周側からの加熱効率が外周側に比べて低く当該外周側の昇温が緩慢であるとの観点から、外周側のコイルによる加熱の開始と終了は内周側のコイルによるそれと同時、または外周側のコイルによる加熱の開始と終了は内周側のコイルによるそれよりも遅れて行われるとしているものである。しかしながら、ロータコアの外周面側が目標温度に到達する時期は、外周側のコイルによる加熱が完了した時期にほかならず、加熱時間が長くなることとなって好ましくない。
【０００６】
この加熱時間を短縮するためには温度勾配を高くすることが有効であるが、特にロータコアの内周側のコイルによる加熱の際に、目標温度よりも高い温度まで一旦オーバーシュートしてしまうようなことがあると、目標温度に落ち着くまでの冷却に時間がかかり、結果としてその冷却時間を含んだ加熱時間が長くなってしまうことになる。
【０００７】
逆に、例えば外周側のコイルによる加熱量（熱エネルギーまたは熱投与量）を相対的に低下させた場合には、ロータコアの外周側から内周側へ伝達される熱量も減少することになるため、必然的にロータコアの内周側の温度上昇も緩慢なものとならざるを得ず、加熱時間の短縮化が図れないことになる。
【０００８】
言い換えるならば、加熱時間を短縮するために、内周側のコイルによる加熱量を増加させると、先にも述べたようにオーバーシュートした際の冷却に時間を要することになるため、内周側のコイルによる加熱量を増加させるにも自ずと限度がある。他方、外周側のコイルによる加熱量をロータコアの内周側の温度上昇に合わせて低下させた場合には、ロータコアの外周側から内周側へ伝達される熱量も減少してしまい、結果として加熱時間が長くならざるを得ないことになる。
【０００９】
本発明はこのような課題に着目してなされたものであり、とりわけ加熱時間の短縮化を図ったロータコアの加熱処理方法および加熱処理装置を提供するものである。
【課題を解決するための手段】
【００１０】
本発明は、永久磁石が埋設されるスロット部をロータコアの周方向に沿って複数備えたモータ用のロータコアを加熱処理するにあたり、上記ロータコアの外周面側および内周面側にそれぞれ加熱手段を配置しておくものとする。
【００１１】
その上で、上記外周面側加熱手段による加熱処理と内周面側加熱手段による加熱処理を同時にまたは上記外周面側加熱手段による加熱処理に先行して内周面側加熱手段による加熱処理を開始し、上記スロット部のロータ内周側の温度が目標温度に到達する前に上記スロット部のロータ外周側での温度が上記目標温度以上となるまで昇温させ、以降は上記外周面側加熱手段による加熱処理を断って内周面側加熱手段のみによる加熱処理を施すものである。
【００１２】
かかる加熱処理方法に用いる加熱処理装置としては、例えば請求項８に記載のように、加熱処理ステージとその下方の退避ステージとの間を昇降可能で且つ加熱処理対象となるロータコアが搭載される昇降式のテーブルと、上記加熱処理ステージにおいてロータコアの外周面側と内周面側とに配置される外周面側加熱手段および内周面側加熱手段と、上記加熱処理ステージにおいてロータコアを軸心方向に加圧拘束する拘束手段と、上記ロータコアの少なくとも上記スロット部のロータ外周側および内周側の温度を検出する温度検出手段と、上記温度検出手段からの検出出力を入力として外周面側加熱手段および内周面側加熱手段の出力制御を司る制御手段と、を備えていることが望ましい。
【発明の効果】
【００１３】
本発明によれば、スロット部のロータ内周側での温度が目標温度に到達する前にスロット部のロータ外周側での温度が上記目標温度以上となるまで昇温させ、以降は外周面側加熱手段による加熱処理を断って内周面側加熱手段のみによる加熱処理を施すことにより、外周面側加熱手段による加熱処理を断った以降のスロット部の外周側でのいわゆる放冷が、内周面側加熱手段のみによる加熱処理と並行して行われることになるので、加熱処理時間を短縮することができ、モータを組み立てる際の生産性が向上する。
【図面の簡単な説明】
【００１４】
【図１】永久磁石埋め込み型モータにおけるロータコアの平面説明図。
【図２】図１のＡ−Ａ線に沿う断面説明図。
【図３】本発明の実施の形態を示す図で、図１，２に示したロータコアの加熱処理に用いる加熱処理装置の概略説明図。
【図４】図３の加熱処理装置での処理手順を示すフローチャート。
【図５】図３の加熱処理装置での加熱時間と加熱温度との関係を示す特性図。
【発明を実施するための形態】
【００１５】
図１以下の図面は本発明を実施するためのより具体的な形態を示していて、特に図１は例えば永久磁石埋め込み型同期モータにおけるロータコア１の平面図を、図２は図１のＡ−Ａ線に沿う断面図を示している。さらに、図３は図１，２に示したロータコア１に対して加熱処理を施すための装置の概略を示している。
【００１６】
図１，２に示すように、モータのロータは、薄板状の電磁鋼板、より具体的には珪素鋼板等の積層体からなる円筒状のロータコア１を主要素として構成されていて、そのロータコア１の円周方向の等分位置に磁石収納のための穴部として偏平矩形状の複数のスロット部２，３を形成してある。ここでは、ロータコア１の円周方向の八等分位置であって且つそれ自体の外周面寄りの位置には外周面側のスロット部２が形成されているとともに、それぞれの外周面側のスロット部２の内側、より具体的にはそれぞれの外周面側のスロット部２よりも内周面寄りの位置には左右で対をなす内周側のスロット部３が八の字状またはハの字状に形成されれている。すなわち、外周面側のスロット部２と一対の内周側のスロット部３とでロータコア１極分のスロットを構成しており、以下ではこの１極分のスロット部（外周面側のスロット部２と内周側のスロット部３）を総称して単にスロット部と言う。また、本実施例の形態においてはロータの径方向内側を内周側もしくは内周面側、ロータの径方向外側を外周側もしくは外周面側と記載する。
【００１７】
それぞれのスロット部２，３はロータコア１をその軸心（回転中心）方向に貫通してロータコア１の両端面に開口していて、外周側のスロット部２には当該スロット部２の形状よりも一回り小さな板状またはバー状の永久磁石４を外側磁石としてそれぞれに挿入してある。同様に内周側のスロット部３には当該スロット部３の形状よりも一回り小さな板状またはバー状の永久磁石５を内側磁石としてそれぞれに挿入してある。そして、各永久磁石４，５はスロット部２または３と永久磁石４または５との隙間に注入または充填される図示外のエポキシ樹脂等の熱硬化性の樹脂材料にていわゆる樹脂モールドのかたちで位置決め固定してある。樹脂材料はスロット部２または３と永久磁石４または５との間の四周に介装されている。
【００１８】
なお、ロータコア１の中心の軸穴となるべき内周面６には図示外の回転軸が挿入固定されるほか、ロータコア１の両端面に円板状のエンドプレート（端板）を積層配置することもある。さらに、熱硬化性の樹脂材料に代えて熱硬化性の接着剤を用いることもある。
【００１９】
こうして樹脂モールドのかたちで各永久磁石４，５が固定されたロータコア１は、熱硬化性の樹脂材料または接着剤の加熱硬化を目的として加熱処理が施される。ロータコア１の加熱処理はそのロータコア１の内外周面側から均等に加熱する必要があり、図３に示した加熱処理装置を用いて加熱処理される。なお、この加熱処理は、スロット部２または３と永久磁石４または５との隙間に熱硬化性の樹脂材料を充填した後に該樹脂材料が硬化しやすくすることを目的として、樹脂材料の充填前に予めロータコア１を加熱する所謂予備加熱の処理として行われるものであっても良く、更には永久磁石４及び５の挿入前に行われるものであっても良い。
【００２０】
この加熱処理装置では、図３に示すように、加熱処理ステージＰ１とその下側の退避ステージＰ２が用意されているとともに、それらの両ステージＰ１，Ｐ２間をリフタテーブル７が昇降動作するようになっている。リフタテーブル７は油圧または空圧式のリフトシリンダ８の伸縮作動に応じて昇降動作する。加熱処理ステージＰ１では、リフタテーブル７にてリフトアップされたロータコア１に対する加熱処理が実行され、他方、退避ステージＰ２では、リフタテーブル７への加熱処理前のロータコア１の投入（搭載）・位置決めと加熱処理後のロータコア１の取り出しが行われる。
【００２１】
なお、図３では、図面の錯綜化を避けるためにリフタテーブル７を退避ステージＰ２に留めたままとして図示しているが、同図のように加熱対象となるロータコア１が加熱処理ステージＰ１にある場合には、リフタテーブル７はその加熱処理ステージＰ１にあるロータコア１を支えていることになる。
【００２２】
加熱処理ステージＰ１には、ロータコア１をその内周面側および外周面側からそれぞれ高周波誘導加熱にて加熱処理するために外周面側加熱手段としての外周側加熱コイル９と内周面側加熱手段としての内周側加熱コイル１０を固定配置してある。これらの外周側加熱コイル９と内周側加熱コイル１０の通電制御は、それぞれに整合器および電源を含む外周側加熱コイル制御部１１および内周側加熱コイル制御部１２によって行われ、さらに外周側加熱コイル制御部１１および内周側加熱コイル制御部１２のＯＮ−ＯＦＦ制御は上位の制御手段であるシーケンサ１３によって実行される。
【００２３】
また、加熱ステージＰ１には、リフタテーブル７上に位置決めされたロータコア１をその軸心方向から加圧拘束するための拘束手段としてのコア押さえパッド１４を設けてある。このコア押さえパッド１４は油圧式または空圧式のシリンダ１５の伸縮作動に応じて昇降動作するもので、リフタテーブル７上に位置決めされているロータコア１を下方に向けて押圧し、後述するようにロータコア１を高周波誘導加熱方式にて加熱する際に、ロータコア１の磁化による珪素鋼板同士の反発力を拘束する役目をする。なお、このコア押さえパッド１４はロータコア１の上面のうち円環状領域の全面を拘束し得る形状のものである。
【００２４】
ここで、上記リフタテーブル７およびコア押さえパッド１４には循環型水冷機構１６が付帯していて、少なくとも加熱処理ステージＰ１でのロータコア１の加熱処理中はこれらのリフタテーブル７およびコア押さえパッド１４が循環する冷却水にて強制冷却されることになる。
【００２５】
さらに、上記加熱処理ステージＰ１には温度検出手段としての複数の非接触式の温度センサ１７を設けてある。これの温度センサ１７は、図１の三箇所、より具体的には、機能上重要な外周側スロット部としての外周側のスロット部２であるところのＱ１点の温度と、内周側スロット部としての内周側のスロット部３であるところのＱ２点の温度のほか、ロータコア１の内周面６であるところのＱ３点の温度をそれぞれにリアルタイムで検出するようになっている。そして、各温度センサ１７の実測値は測温機構部１８を経て上位の制御手段であるシーケンサ１３に取り込まれるようになっている。なお、本実施の形態においては上述の通り外周側のスロット部２と内周側のスロット部３とを合わせて１極分のスロット部を形成しており、従ってＱ１点の温度は１極分のスロット部の外周側の温度であり、Ｑ２点の温度は１極分のスロット部の内周側の温度と言い換えることができる。
【００２６】
他方、退避ステージＰ２には冷却手段としての冷却ファン１９を設けてある。この冷却ファン１９はシーケンサ１３からの指令により起動し、加熱処理ステージｐ１での加熱処理を終えたロータコア１が退避ステージＰ２に移動するのを待って、その加熱処理後のロータコア１を強制冷却することになる。
【００２７】
このように構成された加熱処理装置では、図３に示すように、退避ステージＰ２においてリフタテーブル７上に加熱処理対象となるロータコア１を搭載したならば、リフタテーブル７をリフトアップ動作させて、加熱処理対象となるロータコア１を加熱処理ステージＰ１に位置決めする。リフタテーブル７のリフトアップ動作によって、加熱処理ステージＰ１にロータコア１が位置決めされると、そのロータコア１の外周面側に外周側加熱コイル９が、ロータコア１の内周面側に内周側加熱コイル１０がそれぞれセットされることになる。そして、シーケンサ１３かからの指令により外周側加熱コイル９および内周側加熱コイル１０にそれぞれ通電されて、ロータコア１の加熱処理が実行される。
【００２８】
加熱処理ステージＰ１でのロータコア１の加熱処理を終えると、リフタテーブル７が下降してロータコア１は退避ステージＰ２に戻り、冷却ファン１９による強制冷却に供されることになる。
【００２９】
ここで、双方の加熱コイル９，１０同士の周波数の干渉を回避するために、双方の周波数を異ならせるものとする。局部的な過昇温を極力回避する上では、使用する周波数が低いほど磁束の浸透深さが大きくなるが、周波数が低すぎると加熱効率が低下することになる。そこで、外周側加熱コイル９の周波数よりも内周側加熱コイル１０の周波数を大きくし、例えば内周側加熱コイル１０の周波数を１００ｋＨｚ以下としたならば、外周側加熱コイル９の周波数は２０ｋＨｚ以下とする。
【００３０】
また、外周側加熱コイル９および内周側加熱コイル１０それぞれからのロータコア１への熱投入エネルギー（熱投与量）は、最終的にロータコア１全体を均等に昇温させることが可能な目標温度から算定するものとし、且つロータコア１の外周面側と内周面側とでの放熱性特性をも考慮し、少なくとも外周側加熱コイル９よりも内周側加熱コイル１０による熱投入エネルギーの方が多くなるようにその熱投入エネルギー量の比率を選定するものとする。そして、この熱投入エネルギー量の比率をもとにそれぞれの加熱コイル９，１０の出力（例えば、外周側加熱コイル９の出力を１０ｋＷとした場合には、内周側加熱コイル１０の出力を７ｋＷとする。）および加熱時間を決定するものとする。
【００３１】
さらに、内周面側加熱手段としての内周側加熱コイル１０に代えて、鉄芯にコイルを巻いたものを採用し、ロータコア１の内周面側についていわゆる磁気加熱の原理で加熱するようにしても良い。なお、この磁気加熱については、例えば特開２００６−２４４７６３号公報等で公知である。
【００３２】
上記のような一連の加熱処理手順を図３のほか図を参照しながら詳しく説明する。なお、図４は上記加熱処理装置での処理手順のフローチャートを、図５は加熱時間と加熱温度との相関特性を示している。
【００３３】
図３に示すリフタテーブル７上に加熱処理対象となるロータコア１が予め搭載されて位置決めされているものとすると、起動スイッチの投入を条件にリフタテーブル７が上昇動作し、ロータコア１が加熱処理ステージＰ１に位置決めされる（図４のステップＳ１，Ｓ２）。続いて、コア押さえパッド１４が下降し、ロータコア１の上面に当接して当該ロータコア１を加圧拘束する（図４のステップＳ３）。
【００３４】
この状態で内周側加熱コイル１０に通電されるとともに、外周側加熱コイル９にも通電され、ロータコア１の加熱処理が実行される（図４のステップＳ４，Ｓ５）。通電開始のタイミングは上記のように内周側加熱コイル１０が先行してもよく、また内周側加熱コイル１０と外周側加熱コイル９への通電開始タイミングが同時であってもよい。
【００３５】
ここで、本実施の形態では、図５に示すように、機能上重要な図１の外周側スロット部としての外周側のスロット部２のＱ１点および内周側スロット部としての内周側のスロット部３のＱ２点の加熱温度の目標温度をＴ0（例えば１５０℃）に設定するととももに、Ｔ0±αをその目標温度Ｔ0の許容域として設定してある。例えば、Ｔ0±αの許容域を例えば１４０〜１６５℃に設定してある。同時に、先に述べた外周側のスロット部２のＱ１点の温度と内周側のスロット部３のＱ２点の温度、およびロータコア１の内周面６のＱ３点の温度が該当する温度センサ１７によりそれぞれにリアルタイムで検出され、それらの温度データが逐一シーケンサ１３に取り込まれる。なお、この加熱工程はスロット部２または３と永久磁石４または５との隙間に注入または充填される熱硬化性の樹脂材料または接着剤の加熱硬化を目的として行われる。従って上記目標温度Ｔ0は当然に、熱硬化性の樹脂材料または接着剤を硬化させるために必要な温度が設定され、その温度は熱硬化性の樹脂材料または接着剤の材質に応じて、設計的あるいは実験的に求めた予め定められた所定の温度が設定されることになる。
【００３６】
また、シーケンサ１３では、図５に示すように、ロータコア１の内周面６のＱ３点の実測温度データをもとに、そのロータコア１の内周面６の温度について過昇温モニタリングを実行し、そのロータコア１の内周面６の温度がＴ3−β〜Ｔ3の範囲に納まるように内周側加熱コイル１０の断続的なＯＮ−ＯＦＦ制御を実行する。すなわち、図４に示すように、ロータコア１の内周面６の温度が〈ロータコアの内周面の温度≧Ｔ3〉の関係を満たしたならばその内周側加熱コイル１０を一旦ＯＦＦにし（図４のステップＳ６，Ｓ７）、さらに〈ロータコアの内周面の温度≦Ｔ3−β〉の関係を満たしたならば内周側加熱コイル１０を再度ＯＮにする（図４のステップＳ８，Ｓ９）。この場合において、内周側加熱コイル１０が既にＯＮであればＯＮのままとする。
【００３７】
なお、図４のステップＳ６において〈ロータコアの内周面の温度≧Ｔ3〉の関係を満たさない場合にはステップＳ９に移行し、同様にステップＳ８において〈ロータコアの内周面の温度≦Ｔ3−β〉の関係を満たさない場合にはステップＳ７に戻る。
【００３８】
このような内周側加熱コイル１０の断続的なＯＮ−ＯＦＦ制御を行うことにより、ロータコア１の内周面６の過昇温が防止され、そのロータコア１の内周面６の温度は図５に示すようにＴ3−β〜Ｔ3の範囲に維持されることになる。
【００３９】
次いで、図４のステップＳ１０でロータコア１の内周面６の過昇温モニタリングに関する過温度（過昇温）フラグがＦｔｈ＝０であることを条件に、ステップＳ１１において外周側のスロット部２の温度がＴ2に達しているか否かを判定し、〈外周側スロット部の温度≧Ｔ2〉の関係を満たしている場合には、次のステップＳ１２において先の過温度フラグをＦｔｈ＝１にするとともに、外周側加熱コイル９をＯＦＦにする。上記温度Ｔ2は図５に示すようにＴ0＜Ｔ2＜Ｔ3−βの関係にあり、機能上重要な外周側のスロット部２の最大加熱温度と言うべきものである。なお、ステップＳ１１において〈外周側スロット部の温度≧Ｔ2〉の関係を満たさない場合にはステップＳ１３に移行する。
【００４０】
さらに、図４のステップＳ１３において内周側のスロット部３の温度がＴ1に達しているか否かを判定し、〈内周側スロット部の温度≧Ｔ1〉の関係を満たしている場合には、次のステップＳ１４において内周側加熱コイル１０をＯＦＦにする。上記温度Ｔ1は図５に示すようにＴ1＜Ｔ0の関係にあり、機能上重要な内周側のスロット部３の最大加熱温度と言うべきものである。なお、ステップＳ１３において〈内周側スロット部の温度≧Ｔ1〉の関係を満たさない場合にはステップＳ６に戻る。
【００４１】
ここで、図５から明らかなように、加熱処理を開始した以降の内周側のスロット部３の温度上昇と外周側のスロット部２の温度上昇とを比較した場合に、内周側のスロット部３の温度上昇勾配に比べて外周側のスロット部２の温度上昇勾配が著しく大きくなっており、これは内周側のスロット部３の温度上昇を緩慢なものとする一方で、外周側のスロット部２の温度を急速に温度Ｔ2まで加熱しようとするものである。その上で、内周側のスロット部３の温度が目標温度Ｔ0に到達する前に、あえてステップＳ１４において内周側加熱コイル１０をＯＦＦにするものである。
【００４２】
なお、上記のように〈内周側スロット部の温度≧Ｔ1〉の関係を満たしていることを条件に、内周側加熱コイル１０をＯＦＦにすることにより、図５に示すようにロータコア１の内周面６の温度も急激に低下することになる。
【００４３】
このように、図４のステップＳ１２での外周側加熱コイル９のＯＦＦに続いて、ステップＳ１４で内周側加熱コイル１０もＯＦＦとすることにより、実質的に加熱処理ステージＰ１での加熱処理が終了することになる。
【００４４】
そこで、図４のステップＳ１５では、コア押さえパッド１４が上昇してそれまでのコア押さえパッド１４による加圧拘束を解除し、それに続いてリフタテーブル７が下降する（ステップＳ１６）。これにより、加熱処理後のロータコア１は退避ステージＰ２に戻ることになる。
【００４５】
加熱処理後のロータコア１が退避ステージＰ２に戻ると、図３の冷却ファン１９がＯＮとなって起動するとともに、その冷却ファン１９のためのタイマーが起動して、予め設定されている冷却ファン起動時間のタイムカウントを開始する（図４のステップＳ１７，Ｓ１８）。これにより、加熱処理後のロータコア１に対して予め設定されている冷却ファン起動時間だけ冷却ファン１９から送風されて、ロータコア１が冷却ファン１９による送風にて強制冷却されることになる。
【００４６】
この後、冷却ファン起動時間のタイムアップを条件に冷却ファン１９が停止し（図４のステップＳ１９，Ｓ２０）、さらに起動スイッチをＯＦＦにするとともに、過温度フラグをＦｔｈ＝０にして一連の処理を終了する（図４のステップＳ２１）。
【００４７】
ここで、図５から明らかなように、外周側加熱コイル９をＯＦＦにしたタイミングで外周側のスロット部２の温度は低下傾向となる一方、それよりも遅れて内周側加熱コイル１０がＯＦＦとなっても、ロータコア内周側からの余熱が伝達されることによって内周側のスロット部３の温度はなおも昇温傾向を続け、最終的には外周側のスロット部２の温度および内周側のスロット部３の温度は共にＴ0±αの範囲に収束することになる。
【００４８】
本発明者が実験を行った結果では、加熱処理の開始から６０秒程度で内周側加熱コイル１０をＯＦＦにした場合、上記冷却ファン１９による強制冷却を行わず放冷（自然冷却）としても、加熱処理の開始から８５秒程度で外周側のスロット部２の温度および内周側のスロット部３の温度は共にＴ0±αの範囲に収束することが確認できた。これよって、従来に比べてロータコアの加熱処理を要する時間を大幅に短縮することが可能となる。
【００４９】
これは次のように説明できる。すなわち、ロータコア１の加熱時間を短縮するためには温度上昇勾配を大きくすることが有効であるが、特に内周側加熱コイル１０からの熱エネルギー投入量を大きくすると逆に冷却に時間がかかり、加熱時間を短縮化できないことは先に述べたとおりであって、加熱時間の短縮化の上では、外周側加熱コイル９からの熱エネルギー投入量に基づく内周面側への熱伝導も最大限に活用する必要がある。
【００５０】
そこで、本実施の形態では、ロータコア１の外周面側は内周面６側に比べて放熱面積が大きく放熱量も大きいことから、必然的に外周側のスロット部２は内周側のスロット部３よりも冷却速度が高いものとなるとの観点から、図５に示すように、外周側のスロット部２に対して外周側加熱コイル９から大きな熱エネルギー投入量を与えて目標温度以上に昇温させるも、その後の目標温度まで冷却させるのに必要な時間を、内周側のスロット部３の昇温に必要な時間とラップさせることで全体の加熱時間を短縮化していることになる。
【００５１】
なお、上記冷却ファン１９による強制冷却を併用した場合には、外周側加熱コイル９の出力をさらにに高めて温度上昇勾配を高くすることが可能であり、加熱時間のさらなる短縮化を図ることが可能である。
【００５２】
ここで、本実施の形態においてはロータの径方向に外周側のスロット部２と内周側のスロット部３の二つのスロット部２，３を設けた例を挙げて説明した。しかしながら、外周側のスロット部２のみの１のスロット部しか備えない場合であっても、上記発明を適用可能である。すなわち、本実施の形態のようにロータの径方向に外周側のスロット部２と内周側のスロット部３を設けた場合ほど顕著でないものの、外周側のスロット部２しか備えない場合であっても、外周側のスロット部２の外周面側の温度は内周面側の温度よりも上昇し易く且つ、冷却時の外周面側の温度は内周面側の温度よりも低下し易い。従って、外周側のスロット部２のみしか備えないロータコアにおいても本発明は適用可能であり、スロット部の数に限定されるものではない。
【符号の説明】
【００５３】
１…ロータコア
２…外周側のスロット部（外周側スロット部）
３…内周側のスロット部（内周側スロット部）
４…永久磁石（外側磁石）
５…永久磁石（内側磁石）
６…内周面
７…リフタテーブル
９…外周側加熱コイル（外周面側加熱手段）
１０…内周側加熱コイル（内周面側加熱手段）
１３…シーケンサ（制御手段）
１４…コア押さえパッド（拘束手段）
１７…温度センサ（温度検出手段）
１９…冷却ファン（冷却手段）
【図１】
0005799759.tif 000002
【図２】
0005799759.tif 000003
【図３】
0005799759.tif 000004
【図４】
0005799759.tif 000005
【図５】
0005799759.tif 000006